(57)【要約】【課題】  傘類は日常生活、ビジネスともにマンネリズムになって、満足した多目的で多様性の利用ができない不十分さ、雨傘の使用、不使用時の整合性や合理的が不透明、不快感があり、興味の持続性、機能性、ファッション性がないという不都合を解決すること。【解決手段】  傘の開いた石突部を中心とした、傘布の広がりの大きさ、面積に適応する傘布外側表面部で全周囲の中心部分の適度な範囲に吸水素材、上部に傘を開いた状態で雨で濡れないように防水用カバーで覆い、傘布上に吸水性素材と防水用カバーを組み合わせたものを陣笠と陣シタ、傘布間、又は上に固定式、着脱式のものを設置し、防水用カバーには防水機能の他に多様なデザイン性、ポケット部に傘布全体カバーを内蔵できる構造にすることで、傘を閉じ、石突部を下にして立てると雨水が吸水性素材部へ吸収でき、更には適時、傘布全体カバーで傘布表面の濡れを覆い込むことにより、この課題を解決する。【選択図】図１
2014012113.tif 000002
【特許請求の範囲】
【請求項１】
傘の開いた石突部を中心とした、傘布の広がりの大きさ、面積に適応する傘布外側表面部で全周囲の中心部分の適度な範囲に吸水素材、上部に傘を開いた状態で雨で濡れないように防水用カバーで覆い、傘布上に吸水性素材と防水用カバーを組み合わせたものを陣笠と陣シタ、傘布間、又は上に固定式、着脱式のものを設置し、防水用カバーには防水機能の他に多様なデザイン性、ポケット部に傘布全体カバーを内蔵できる構造にすることで、傘を閉じ、石突部を下にして立てると雨水が吸水性素材部へ吸収でき、更には適時、傘布全体カバーで傘布表面の濡れを覆い込むことを有するものを特徴とした雨しずく阻止用傘。
【発明の詳細な説明】
【技術分野】
【０００１】  本発明は、日常生活、ビジネス用品の傘に関するものであり、従来の傘の構造体の特有の形状、構造、構成に工夫を加えることによって、多目的で多様性の用途、機能が効果的に展開できるようにしたものである。
【背景技術】
【０００２】  従来、傘類一般に適応する十分なものが不足しているため、日常生活やビジネスに満足できないのが現状であり、多様性があるものが必要で重視されているが、整合性や合理的などに乏しく発展性が鈍化傾向になっている。
【発明の開示】
【発明が解決しようとする課題】
【０００３】  しかし、従来のような傘類一般では、日常生活、ビジネスともにマンネリズムになって、満足した多目的で多様性の利用ができない不十分さ、雨傘の使用、不使用時の整合性や合理的などが不透明、不快感があり、興味の持続性、機能性、ファッション性がないのが現状である。本発明は、これらの不都合を解決することを課題とする。
【課題を解決するための手段】
【０００４】  この課題を解決するための請求項１の発明は、傘の開いた石突部を中心とした、傘布の広がりの大きさ、面積に適応する傘布外側表面部で全周囲の中心部分の適度な範囲である、大雨の降水量のしずくを想定した吸収容量がある広さ、厚さの立体の吸水素材を用い、上部に傘を開いた状態で雨で吸水素材が濡れないように防水用カバーで覆い、傘布上に吸水性素材と防水用カバーを組み合わせたものを陣笠と陣シタ、傘布間、又は上に固定式、着脱式のものを設置し、着脱式のものは吸水性素材と防水用カバーを組み合わせた円錐状で底面、頂点部間がくり貫き構造で頂点部は強弾力性のものにし、石突部の根本をしっかりグリップさせ、更に頂点部にマジックテープなどの帯状のものを取付、石突部へ固定するようにする。防水用カバーには防水機能の他に多様な色彩、形体のデザインとファション性があり、ポケット部に傘布全体カバーを内蔵用するようにし、吸水素材へは水分を排出用、吸水調整用、吸水停止用とする絞り用マジックテープ帯状のものを設ける構造にすることで、傘を閉じ、石突部を下にして立てると雨水が吸水性素材部へ吸収でき水分が石突部分から漏れないようにし、吸水素材へ溜まった雨水は絞って排水して、繰り返し利用する。更には適時、傘布全体カバーで傘布表面の濡れを覆い込むような雨しずく阻止用傘にする。
【発明の効果】
【０００５】  本発明により、傘が濡れた状態において、手で手元部を持って、石突部を下にして立てても雨水のしずくが落ちないので、室内、車内などへ平常に持ち込むことができる。【０００６】  タイムリーに傘布表面全体をカバーできるので、混雑した場所での人的不快な接触を回避して、快適さを維持し、効果的で威力を発揮できる。【０００７】  雨傘を利用後、傘を立て掛けても場所を濡らすことがなく、環境への変化がない。【０００８】  溜まった雨しずくは簡単に片手で絞って、何回でも繰り返し再利用できる。【０００９】  傘の先端部分の石突部全周囲域は多様な色合いや形状をした、各デザインのものを演出することができるファション性に富んだものになる。【００１０】  本発明は吸水性素材と防水用カバーを組み合わせ防水用カバーにポケット、中へ傘布全体カバーの総合的観点から雨しづくを覆い阻止するものである。【００１１】  本発明は雨傘だけでなく、雨傘兼日傘、日傘にも適用でき有効的である。【００１２】  本発明は、日常生活、ビジネス用品の傘として多目的で多様性がある自由な形でパフォーマンスができ、合理的な利用が可能であり、幅広い範囲で活用ができる奥深いマテリアルを発展的に提供することができる。
【発明を実施するための最良の形態】
【００１３】  図１は、雨しずく阻止用傘の閉傘外観概略図・開傘外側上面図（固定式）であり、吸水性素材と防水用カバーの容量は傘の大きさ、傘布素材や降水量から選定するのが一般的であるが、限りはない。傘布全体カバー、使用外は防水用カバーのポケット内に常備する。【００１４】  図２は、雨しずく阻止用傘の開傘簡略図・開傘部分断面図（固定式）であり、防水用カバーは吸水性素材を十分に覆い、開傘時に雨で濡らさない構造、材質、デザインを保有した防水用カバーの選定がいる。（雨で濡れたとしても、吸水性素材の水分を絞り出すプロセスが増えて、二重手間になる。）【００１５】  図３は、雨しずく阻止用傘の着脱式吸水性素材と防水用カバー外観概略図であり、石突の根本部に頂点穴と強弾力素材部を挿入密着させ、更に帯状マジックテープで巻き付けて固定し、閉傘して石突を下にした時、雨しづくのない構造、材質、デザインを保有したものの選定がいる。又、円錐状の広がりが、開傘時の傘布に添ったものにする。【００１６】  図１から図３は雨しずく阻止用傘の概略図例であり、本発明の特許請求の範囲を満足すれば、この限りではない。
【産業上の利用可能性】
【００１７】  本発明に係る雨しずく阻止用傘の雨傘類一般の日常生活、ビジネス用品は、工業的に量産する事が可能であるため、産業上の利用可能性を有する。
【図面の簡単な説明】
【００１８】
【図１】雨しずく阻止用傘の閉傘外観概略図・開傘外側上面図（固定式）
【図２】雨しずく阻止用傘の開傘簡略図・開傘部分断面図（固定式）
【図３】雨しずく阻止用傘の着脱式吸水性素材と防水用カバー外観概略図
【符号の説明】
【００１９】図中の数字は次の通りである。
１１    ：吸水性素材                  １２    ：防水用カバー
１３    ：ポケット                    １４    ：絞り用マジックテープ帯状
１５    ：傘布                        １６    ：石突
１７    ：手元                        １８    ：傘布全体カバー
１９    ：傘布全体カバー絞め帯状
２０    ：頂点穴と強弾力素材部        ２１    ：帯状マジックテープ
【図１】
2014012113.tif 000003
【図２】
2014012113.tif 000004
【図３】
2014012113.tif 000005